(57)【要約】【課題】  プッシュボタンに衝撃物が当たった場合に、収納ボックスの開放を防止することができるプッシュボタン式ボックス開放構造を提供する。【解決手段】  プッシュボタン式ボックス開放構造２０は、プッシュボタン２１をロック解除開始位置Ｐ４からロック解除位置Ｐ５まで押し込んで収納ボックス１２を開放するものである。このプッシュボタン式ボックス開放構造２０は、ロック解除開始位置Ｐ４を、プッシュボタン２１を押込み開始位置Ｐ３から規定量Ｄ１押し込んだ位置とし、プッシュボタン２１に衝撃物６５が当たった際に、衝撃物６５をボタン収納部３６の周縁３６ａで支えることにより、プッシュボタン２１の押込み量を規定量Ｄ１より小さくするように周縁３６ａを形成したものである。【選択図】      図５
2006022482.tif 000002
【特許請求の範囲】
【請求項１】
ボックスを開放するためのプッシュボタンをボタン収納部内に押込み自在に設け、このプッシュボタンをロック解除開始位置からロック解除位置まで押し込んでボックスを開放するプッシュボタン式ボックス開放構造において、
前記ロック解除開始位置を、前記プッシュボタンを押込み開始位置から規定量押し込んだ位置としたことを特徴とするプッシュボタン式ボックス開放構造。
【請求項２】
前記プッシュボタンの表面を前記周縁に対して略面一にしたことを特徴とする請求項１記載のプッシュボタン式ボックス開放構造。
【発明の詳細な説明】
【技術分野】
【０００１】
本発明はプッシュボタン式ボックス開放構造に係り、特に、閉状態のボックスを、プッシュボタンを押し込むことにより開放するプッシュボタン式ボックス開放構造に関する。
【背景技術】
【０００２】
自動車の車室内には小物などを収納する収納ボックスを備える。この収納ボックスのなかには、収納ボックスのリッドを押圧部を押圧することで開けるように構成したものがある（例えば、特許文献１参照。）。
【特許文献１】特開２００２−３３１８７６号公報（図２）
【０００３】
特許文献１の収納ボックスは、小物などを収納する収納ポケットを備え、この収納ポケットの開口部を開閉するリッドを備える。このリッドにはロック用の爪部およびロック解除用の押圧部（以下、「プッシュボタン」という）を備える。
リッドを閉位置から開放する際には、プッシュボタンを押圧して押し下げることにより、爪部とストライカとの係合を解除してリッドを開放する。
プッシュボタンを押し下げるだけでリッドを開放することができるので、乗員はリッドを簡単に開放することが可能である。
【発明の開示】
【発明が解決しようとする課題】
【０００４】
しかし、特許文献１の収納ボックスは、プッシュボタンを押し下げるだけでリッドが開放するので、万が一、車室内の物体（以下、衝撃物という）がプッシュボタンに当たった場合、プッシュボタンが衝撃物によって押し下げられてしまう虞がある。
プッシュボタンが押し下げられると、リッドが不用意に開放してしまうことが考えられ、この観点から改良の余地が残されていた。
【０００５】
本発明は、万が一プッシュボタンが不用意に押し下げられた場合でも、ボックスの開放を防止することができるプッシュボタン式ボックス開放構造を提供することを課題とする。
【課題を解決するための手段】
【０００６】
請求項１に係る発明は、ボックスを開放するためのプッシュボタンをボタン収納部内に押込み自在に設け、このプッシュボタンをロック解除開始位置からロック解除位置まで押し込んでボックスを開放するプッシュボタン式ボックス開放構造において、前記ロック解除開始位置を、前記プッシュボタンを押込み開始位置から規定量押し込んだ位置としたことを特徴とする。
【０００７】
プッシュボタンをボタン収納部内に押込み自在に設け、ボタン収納部に対してプッシュボタンを規定量入り込むまでは、ボックスを閉状態に保つようにした。これにより、万が一、プッシュボタンが不用意に押し込まれた場合でも、プッシュボタンが規定量入り込むまでは、ボックスが開放することを防止できる。
【０００８】
さらに、ボタン収納部に対してプッシュボタンが規定量入り込んだ後、プッシュボタンをロック解除位置まで押し込むことにより、ボックスを開放するようにした。
これにより、乗員はプッシュボタンを押し込むだけで、ボックスを開放することが可能になり、ボックスを簡単に開けることができる。
【０００９】
請求項２は、プッシュボタンの表面を周縁に対して略面一にしたことを特徴とする。
【００１０】
ここで、プッシュボタンの表面をボタン収納部の周縁より外側に突出させた場合、プッシュボタンに衝撃物が当たった際に、ボックスを閉状態に保つためには、プッシュボタンの押込み量を大きく確保する必要がある。
衝撃物が当たった際の押込み量が大きくなると、ボックスを開放する際に、プッシュボタンのストロークが大きくなる。このように、プッシュボタンのストロークが大きくなると、このストロークを確保するために、プッシュボタンを配置する空間を大きく確保する必要がある。
【００１１】
一方、プッシュボタンの表面をボタン収納部の周縁より内側に凹ませた場合、乗員からプッシュボタンが見え難くなり、プッシュボタンを指で押し込み難くなる。
加えて、プッシュボタンの表面をボタン収納部の周縁より内側に凹ませた場合、見栄え上好ましくない。
【００１２】
そこで、請求項２において、プッシュボタンの表面をボタン収納部の周縁に対して略面一にした。よって、プッシュボタンのストロークを比較的小さく抑えて、プッシュボタンを比較的小さな空間に配置することができる。
【００１３】
さらに、プッシュボタンの表面をボタン収納部の周縁に対して面一にすることで、乗員からプッシュボタンが見やすくなり、プッシュボタンを指で押し込み易くすることができる。
加えて、プッシュボタンの表面をボタン収納部の周縁に対して面一にすることで、見栄えを良好に確保することができる。
【発明の効果】
【００１４】
請求項１に係る発明では、万が一プッシュボタンが不用意に押し込まれた際にボックスが開放することを防ぐことができるという利点がある。
【００１５】
請求項２に係る発明では、プッシュボタンの表面をボタン収納部の周縁に対して略面一にすることで、プッシュボタンを比較的小さな空間に配置することが可能になり、設計の自由度を高めることができるという利点がある。
【発明を実施するための最良の形態】
【００１６】
本発明を実施するための最良の形態を添付図に基づいて以下に説明する。なお、図面は符号の向きに見るものとする。
図１は本発明に係るプッシュボタン式ボックス開放構造（第１実施の形態）を備えたインストルメントパネルを示す斜視図である。
インストルメントパネル１０は、右端部１１に、本発明に係る収納ボックス（ボックス）１２を備える。
【００１７】
この収納ボックス１２は、インストルメントパネル１０の右端部１１内にポケット１３を備え、ポケット１３の開口部１４を開閉するリッド１５を備え、このリッド１５を閉位置Ｐ１（図３参照）と開位置Ｐ２（図３参照）とにスイング移動自在に支える左・右のヒンジ手段１７（左側のヒンジ手段１７のみを図２に示す）を備え、リッド１５を閉位置Ｐ１に保持可能で、かつプッシュボタン２１を押し込むことによりリッド１５を開放可能なプッシュボタン式ボックス開放構造２０を備える。
なお、左・右のヒンジ手段１７，１７は、それぞれ同一構成部材で構成されているので、以下、左ヒンジ手段１７について説明し、右ヒンジ手段１７についての説明は省略する。
【００１８】
図２は図１の２−２線断面図である。
リッド１５を、下外側パネル２３および上外側パネル２４で略く字形の外壁２５を形成し、この外壁２５の裏面側から略く字形の内側パネル２６を重ね合わせることで、外壁２５と内側パネル２６との間に所定間隔の空間２７を形成したものである。
【００１９】
内側パネル２６の左端下部に左ヒンジ手段１７のロアブラケット３１をボルト３２で取り付ける。さらに、左ヒンジ手段１７のアッパブラケット３３を、インストルメントパネル１０の左端にボルト３４で取り付け、アッパブラケット３３およびロアブラケット３１を一対のリンク３５，３５で連結する。
これにより、インストルメントパネル１０の左端に左ヒンジ手段１７を介して内側パネル２６の左端下部を連結する。
【００２０】
左ヒンジ手段１７と同様に、右ヒンジ手段１７を用いることで、インストルメントパネル１０の右端に右ヒンジ手段１７を介して内側パネル２６の右端下部を連結する。
このように、左・右のヒンジ手段１７，１７を用いることで、リッド１５をインストルメントパネル１０に、閉位置Ｐ１と開位置Ｐ２（図３参照）とにスイング移動自在に取り付ける。
【００２１】
プッシュボタン式ボックス開放構造２０のプッシュボタン２１を、上外側パネル２４の左端部（すなわち、リッド１５の左端上部）に押込み自在に備える。
【００２２】
具体的には、上外側パネル２４の左端部にボタン収納部（開口）３６を形成し、ボタン収納部３６の上・下の壁部３７，３８にそれぞれ案内溝３７ａ，３８ａを形成する。
一方、プッシュボタン２１の上・下の壁部４１，４２からそれぞれ上・下のスライダー４１ａ，４２ａを突起させる。
上スライダー４１ａを上案内溝３７ａに移動自在に嵌め込むとともに、下スライダー４２ａを下案内溝３８ａに移動自在に嵌め込むことにより、プッシュボタン２１をボタン収納部３６内に矢印の如く移動可能に取り付ける。
【００２３】
プッシュボタン２１の内側に小径の筒状突起（以下、「内筒」という）４３を設け、この内筒４３の先端側を大径の筒状突起（以下、「外筒」という）４４の開口端側にスライド自在に嵌め込む。
外筒４４の基端部にフランジ４５を設け、このフランジ４５を内側パネル２６の左端上部に固定する。
【００２４】
フランジ４５とプッシュボタン２１の天井面２１ａとの間に圧縮ばね４６を配置する。これにより、圧縮ばね４６で、プッシュボタン２１を上外側パネル２４の外側に突出させる方向に付勢する。
プッシュボタン２１、外筒４４および圧縮ばね４６を、上外側パネル２４と内側パネル２６との間の空間２７に設けることで、プッシュボタン２１、外筒４４および圧縮ばね４６をリッド１５内に設ける。
【００２５】
この圧縮ばね４６で、プッシュボタン２１を上外側パネル２４から外側に突出する方向に付勢する。上・下の案内溝３７ａ，３８ａの外側端部３７ｂ，３８ｂに上・下のスライダー４１ａ，４２ａの外側端部が当たって、プッシュボタン２１が静止する。
この状態で、プッシュボタン２１の表面２１ｂが、ボタン収納部３６の周縁３６ａおよび上外側パネル２４の外面２４ａに対して略面一になるように、上・下の案内溝３７ａ，３８ａの外側端部３７ｂ，３８ｂと、上・下のスライダー４１ａ，４２ａの外側端部との位置を決める。
【００２６】
プッシュボタン２１の表面２１ｂが、ボタン収納部３６の周縁３６ａおよび上外側パネル２４の外面２４ａと略面一になる位置（すなわち、図２に示す位置）を、押込み開始位置Ｐ３とする。
このプッシュボタン２１の表面２１ｂに、リッド１５の内側に向けて押圧力をかけることで、プッシュボタン２１を圧縮ばね４６のばね力に抗してボタン収納部３６内に押し込む。
【００２７】
図３は図１の３−３線断面図である。
リッド１５の略中央の上部に、プッシュボタン式ボックス開放構造２０のロック手段５０を備える。
ロック手段５０は、ラッチ５１をピン５２を介して回転自在に備え、ラッチ５１に係合溝５３を形成し、この係合溝５３にストライカ５４を係合させることにより、リッド１５を閉位置Ｐ１に保持するものである。
リッド１５を閉位置Ｐ１に保持することで、収納ボックス１２を閉じた状態に保つ。
【００２８】
また、ロック手段５０は、ピン５２にコイルばね５５を取り付け、コイルばね５５の一端部５５ａをラッチ５１の取付孔５１ａに差し込み、コイルばね５５の他端部５５ｂをブラケット２８の取付孔２８ａに差し込むことにより、ラッチ５１を矢印方向、すなわちリッド１５が開放する方向に付勢するものである。
ブラケット２８は外壁２５の内側に取り付けた部材である。
さらに、ロック手段５０は、ラッチ５１の下部に、ラッチ５１をロック位置（図３に示す位置）に位置決めするための位置決め凹部５７を備える。
【００２９】
この位置決め凹部５７にロックバー５８を当てることにより、ラッチ５１をコイルばね５５のばね力に抗してロック位置に保持する。
一方、位置決め凹部５７からロックバー５８を外すと、コイルばね５５のばね力でラッチ５１がピン５２を軸にして矢印の如く回転する。
ストライカ５４からラッチ５１の係合溝５３が外れ、図示しないばねで、リッド１５を閉位置Ｐ１から開位置Ｐ２（想像線で示す位置）までスイング移動する。これにより、収納ボックス１２（図１参照）が開放する。
【００３０】
なお、ストライカ５４は、図４に示すように略コ字形に形成した部材で、両端部５４ａ，５４ａをインストルメントパネル１０の取付孔６１，６１に差し込み、インストルメントパネル１０から突出したそれぞれの端部５４ａ，５４ａにナット６２，６２をねじ結合することにより、インストルメントパネル１０に取り付けた部材である。
【００３１】
図４は本発明に係るプッシュボタン式ボックス開放構造（第１実施の形態）を示す斜視図である。
プッシュボタン式ボックス開放構造２０は、プッシュボタン２１をボタン収納部３６（図２参照）内に押込み自在に設け、プッシュボタン２１がボタン収納部３６に対して規定量押し込まれる（すなわち、入り込む）までは、ロック手段５０を非操作状態に保ち、プッシュボタン２１がボタン収納部３６に対して規定量押し込まれた後、プッシュボタン２１をさらに押し込むことにより、ロック手段５０を操作してロック状態を解除し、プッシュボタン２１に衝撃物６５（図８参照）が当たった際に、衝撃物６５を、ボタン収納部３６の周縁３６ａや上外側パネル２４の外面２４ａで支えることで、プッシュボタン２１がボタン収納部３６内に規定量入り込むことを防止するようにボタン収納部３６の形状（具体的には、ボタン収納部３６の高さＨ）を決めたものである。
ここで、ボタン収納部３６は、幅Ｗと高さＨとを比較すると、高さＨが幅Ｗより小さい。このため、衝撃物６５のボタン収納部３６への侵入量は高さＨで規制される。
【００３２】
プッシュボタン２１の側壁４７には、押圧用の押圧突片６７を備える。押圧突片６７の前方に操作リンク６８をピンを軸にして回転自在に設ける。操作リンク６８は、第１レバー７１を押圧突片６７の前方に向けて湾曲状に延ばし、かつ第２レバー７２を後方に向けて延ばす。
【００３３】
第１レバー７１の先端部７１ａを押圧突片６７から一定間隔をおいて配置し、第２レバー７２の先端部７２ａを、スライダー７３の左端部７３ａに形成した差込孔７４に差し込み、この状態で第２レバー７２の先端部７２ａを連結ピン７５を介してスライダー７３の左端部７３ａに連結する。
【００３４】
スライダー７３の右端部７３ｂに連結孔７６を形成し、この連結孔７６にロックバー５８の左端部に形成した折曲部５８ａを差し込むことにより、スライダー７３の右端部７３ｂにロックバー５８の折曲部５８ａを連結する。
ロックバー５８の右端部５８ｂを、ラッチ５１に形成した位置決め凹部５７に当てることにより、ラッチ５１をコイルばね５５のばね力に抗してロック位置に保持する。
これにより、ラッチ５１の係合溝５３をストライカ５４に係合させた状態に保持し、リッド１５（図３参照）を閉位置Ｐ１に保持する。
【００３５】
一方、プッシュボタン２１の表面２１ｂに押込み力をかけて、プッシュボタン２１をボタン収納部３６（図２参照）内に押し込むことにより、押圧突片６７が第１レバー７１の先端部７１ａに当接し、押圧突片６７で第１レバー７１の先端部７１ａを先方に押し出す。
なお、プッシュボタン２１の押込み量と、押圧突片６７が第１レバー７１の先端部７１ａに当接するタイミングとの関係は、図５で詳しく説明する。
押圧突片６７で第１レバー７１の先端部７１ａを前方に押し出して、操作リンク６８を矢印の如く回転させる。操作リンク６８を矢印の如く回転させることで、第２レバー７２でスライダー７３を矢印の如くスライドさせる。
【００３６】
スライダー７３が矢印の如くスライドすることで、ロックバー５８が矢印の如く移動し、ロックバー５８の右端部５８ｂをラッチ５１の位置決め凹部５７から抜き出す。
ロック手段５０のロック状態が解除され、コイルばね５５のばね力でラッチ５１がピン５２を軸にして矢印の如く回転する。これにより、ストライカ５４からラッチ５１の係合溝５３が外れる。
【００３７】
ここで、プッシュボタン２１、外筒４４、圧縮ばね４６、操作リンク６８、スライダー７３、ロックバー５８、ロック手段５０およびストライカ５４を、図３に示す上外側パネル２４と内側パネル２６との間の空間２７に設けることでリッド１５内に設ける。
【００３８】
図５は本発明に係るプッシュボタン式ボックス開放構造（第１実施の形態）を示す平面図である。
プッシュボタン２１を押込み開始位置Ｐ３に配置して、ロック手段５０をロック状態、すなわちロックバー５８の右端部５８ｂをラッチ５１の位置決め凹部５７（図４も参照）に係止させた状態にする。
この状態において、第１レバー７１の先端部７１ａをプッシュボタン２１の押圧突起６７から規定量Ｄ１だけ離して配置する。
【００３９】
これにより、プッシュボタン２１をボタン収納部３６内に規定量Ｄ１押し込んで、プッシュボタン２１がロック解除開始位置Ｐ４まで到達しないと、押圧突起６７は第１レバー７１の先端部７１ａに当接しない。
よって、プッシュボタン２１をボタン収納部３６内に矢印の如く押し込んでも、プッシュボタン２１の押込み量が規定量Ｄ１より小さい場合には、操作リンク６８を静止状態に保ち、ロック手段５０をロック状態に保つ。
【００４０】
プッシュボタン２１をボタン収納部３６に対して規定量Ｄ１押し込んで、プッシュボタン２１がロック解除開始位置Ｐ４に到達したとき、プッシュボタン２１の押圧突片６７が第１レバー７１の先端部に当接する。
この状態から、プッシュボタン２１をさらに押し込むことにより、プッシュボタン２１の押圧突片６７で第１レバー７１の先端部７１ａを前方に押し出す。
【００４１】
押圧突片６７で第１レバー７１の先端部７１ａを前方に押し込むことで、操作リンク６８をピン６９を軸にして矢印の如く回転させる。操作リンク６８が回転することで、第２レバー７２でスライダー７３を矢印の如くスライドさせる。
スライダー７３が矢印の如くスライドすることで、ロックバー５８が矢印の如く移動する。
プッシュボタン２１の押込み量が、操作量Ｄ２と同じになり、プッシュボタン２１がロック解除位置Ｐ５に到達すると、ロックバー５８の右端部５８ｂがラッチ５１の位置決め凹部５７から抜け出す。
【００４２】
これにより、ロック手段５０のロック状態が解除され、コイルばね５５のばね力でラッチ５１がピン５２を軸にして矢印の如く回転する。
ストライカ５４からラッチ５１の係合溝５３が外れ、図示しないばねで、リッド１５を閉位置Ｐ１（図３参照）から開位置Ｐ２（図３参照）に向けて開放する。
【００４３】
この後、プッシュボタン２１をさらに底付き量Ｄ３だけ押し込むことにより、プッシュボタン２１がフランジ４５に当たり静止する。
プッシュボタン２１が静止することで、乗員は、プッシュボタン２１をロック解除位置まで確実に押し込んだことを確認する。
【００４４】
次に、本発明に係るプッシュボタン式ボックス開放構造２０のプッシュボタン２１でリッド１５を開放する例を図６〜図７に基づいて説明する。
図６（ａ），（ｂ）は第１実施の形態のプッシュボタンを規定量だけ押し込んだ例を説明する図である。
（ａ）において、押込み開始位置Ｐ３のプッシュボタン２１を圧縮ばね４６のばね力に抗して矢印ａの如くボタン収納部３６内に押し込む。
【００４５】
（ｂ）において、プッシュボタン２１をロック解除開始位置Ｐ４まで規定量Ｄ１押し込むことにより、押圧突起６７が第１レバー７１の先端部７１ａに当接する。
この状態から、プッシュボタン２１をロック解除位置Ｐ５まで操作量Ｄ２（図５参照）押し込むことにより、プッシュボタン２１の押圧突片６７で第１レバー７１の先端部７１ａを前方に押し出す。
【００４６】
第１レバー７１の先端部７１ａを前方に押し出すことで、操作リンク６８をピン６９を軸にして矢印ｂの如く回転させる。
操作リンク６８が回転することで、第２レバー７２７２でスライダー７３を矢印ｃの如くスライドさせる。
スライダー７３が矢印の如くスライドすることで、図５に示すロックバー５８が矢印の如く移動する。
【００４７】
図７（ａ），（ｂ）は第１実施の形態のプッシュボタンを操作量まで押し込んだ例を説明する図である。
（ａ）において、プッシュボタン２１がロック解除位置Ｐ５まで到達して、プッシュボタン２１の押込み量が、（規定量Ｄ１＋操作量Ｄ２）になると、ロックバー５８の右端部５８ｂがラッチ５１の位置決め凹部５７から抜け出す。
【００４８】
（ｂ）において、ロック手段５０のロック状態が解除され、コイルばね５５のばね力でラッチ５１がピン５２を軸にして矢印ｄの如く回転する。
ストライカ５４からラッチ５１の係合溝５３が外れ、図示しないばねで、リッド１５を閉位置Ｐ１（図３参照）から開位置Ｐ２（図３参照）に向けて矢印ｅの如くスイング移動する。
これにより、リッド１５が開位置Ｐ２までスイング移動することにより、収納ボックス１２（図１参照）が開放する。
なお、ピン５２を軸にして矢印ｄの如く回転したラッチ５１は、位置決め凹部５７がストッパ２８ｂに当接して所定以上回転しない位置で保持される。
【００４９】
次に、本発明に係るプッシュボタン式ボックス開放構造２０のプッシュボタン２１に衝撃物６５が当たった場合を図８に基づいて説明する。
図８（ａ），（ｂ）は第１実施の形態のプッシュボタンに衝撃物が当たった例を説明する図である。
（ａ）において、万が一、プッシュボタン２１に衝撃物６５が矢印ｆの如く当たった場合には、衝撃物６５を、ボタン収納部３６の周縁３６ａや上外側パネル２４の外面２４ａで支える。
ここで、ボタン収納部３６は幅Ｗ、高さＨに形成され、高さＨは幅Ｗより小さい。衝撃物６５がボタン収納部３６内に侵入する量を高さＨで規制し、プッシュボタン２１の侵入量をＤ４に抑える。
【００５０】
（ｂ）において、衝撃物６５がボタン収納部３６内に侵入する量を高さＨ（（ａ）参照）で規制し、侵入量をＤ４とすることで、衝撃物６５の侵入量Ｄ４を、規定量Ｄ１より小さく抑える。よって、プッシュボタン２１はロック解除開始位置Ｐ４まで到達しない。
ここで、図５に示すように、第１レバー７１の先端部７１ａは、プッシュボタン２１が押込み開始位置Ｐ３に配置された状態で、プッシュボタン２１の押圧突起６７から規定量Ｄ１だけ離れて配置されている。
【００５１】
よって、衝撃物６５がプッシュボタン２１に当たった際に、押圧突起６７は第１レバー７１の先端部７１ａに当接しない。
操作リンク６８を静止状態に確保し、ロック手段５０（図５参照）をロック状態に保つ。これにより、リッド１５を閉位置Ｐ１（図３参照）に静止させておくことができ、収納ボックス１２（図１参照）を閉じた状態に保つ。
【００５２】
次に、第２実施の形態について説明する。
図９は本発明に係るプッシュボタン式ボックス開放構造（第２実施の形態）を備えたインストルメントパネルを示す断面図である。
インストルメントパネル８０は、右端部８１に、本発明に係る収納ボックス（ボックス）８２を備える。
【００５３】
この収納ボックス８２は、インストルメントパネル８０の右端部８１内にポケット８３を備え、ポケット８３の外壁８４にリッド８５を備え、ポケット８３の上方に、プッシュボタン式ボックス開放構造９０のプッシュボタン９１を備える。
なお、プッシュボタン式ボックス開放構造９０は、第１実施の形態のプッシュボタン式ボックス開放構造２０と略同じ構成のものである。
【００５４】
ポケット８３を、下部のピン（図示せず）を軸に矢印ｈの如くスイング移動して開口部８４をインストルメントパネル８０から外側に突出させ、かつ下部のピン（図示せず）を軸に矢印ｉの如くスイング移動して開口部８４をインストルメントパネル８０内に納めるように構成した。
【００５５】
プッシュボタン９１の基部９２を引張りばね９３を介してインストルメントパネル８０に連結し、プッシュボタン９１のボタン本体９４をボタン収納部（凹部）９６に臨ませ、引張りばね９３のばね力でプッシュボタン９１を押込み開始位置Ｐ３に保つ。
プッシュボタン９１を押込み開始位置Ｐ３に配置したとき、プッシュボタン９１の表面９１ａを、ボタン収納部９６の周縁９６ａおよび周縁近傍の外面９６ｂと略面一にする。
【００５６】
ポケット８３を開放するときには、プッシュボタン９１のボタン本体９４に押圧力を矢印ｇの如くかけて、ボタン本体９４を引張りばね９３のばね力に抗してボタン収納部９６内に、ロック解除位置Ｐ５まで所定量（すなわち、規定量Ｄ１＋操作量Ｄ２）押し込む。
【００５７】
これにより、ロック手段（図示せず）のロックを解除して、ポケット８３が下部のピン（図示せず）を軸にして矢印ｈの如くスイング移動する。
ポケット８３の開口部８４がインストルメントパネル８０から外側に飛び出し、ポケット８３（すなわち、収納ボックス８２）を開ける。
このロック手段は、第１実施の形態のロック手段５０（図４、図５参照）と略同様の構成である。
【００５８】
一方、ポケット８３を閉じるときには、リッド８５に押圧力をかけることで、ポケット８３を下部のピン（図示せず）を軸にして矢印ｉの如く押し込む。ポケット８３の開口部８４がインストルメントパネル８０内に収まり、ポケット８３を閉じる。
【００５９】
ここで、第２実施の形態のプッシュボタン９１は、第１実施の形態のプッシュボタン２１と同様に、ボタン本体９４が、押込み開始位置Ｐ３からロック解除開始位置Ｐ４までボタン収納部９６内に規定量Ｄ１押し込まれても、プッシュボタン式ボックス開放構造９０のロック手段をロック状態に保つ。
【００６０】
ボタン本体９４を規定量Ｄ１押し込んだ押込み開始位置Ｐ３から、ボタン本体９４をさらに押し込むことにより、プッシュボタン式ボックス開放構造９０のロック手段を操作する。
ボタン本体９４の押込み量が、操作量Ｄ２と同じになり、ボタン本体９４がロック解除位置Ｐ５に到達すると、ロック手段のロック状態が解除される。
ロック状態が解除されることで、ポケット８３が下部のピン（図示せず）を軸にして矢印ｈの如くスイング移動してポケット８３、すなわち収納ボックス収納ボックス８２が開放する。
【００６１】
この後、ボタン本体９４をさらに底付き量Ｄ３だけ押し込むことにより、ボタン本体９４がストッパ（図示せず）に当たり静止する。
ボタン本体９４が静止することで、乗員は、ボタン本体９４をロック解除位置まで確実に押し込んだことを確認する。
【００６２】
次に、本発明に係るプッシュボタン式ボックス開放構造９０のプッシュボタン９１でポケット８３を開放する例を図１０に基づいて説明する。
図１０（ａ），（ｂ）は第２実施の形態のプッシュボタンを操作量まで押し込んでポケットを開放した例を説明する図である。
（ａ）において、プッシュボタン９１を圧縮ばね４６のばね力で押込み開始位置Ｐ３に保つ。プッシュボタン９１のボタン本体９４を引張りばね９３のばね力に抗して矢印ｇの如くボタン収納部９６内に押し込む。
【００６３】
（ｂ）において、ボタン本体９４をロック解除開始位置Ｐ４（図９参照）まで規定量Ｄ１押し込み、この状態から、ボタン本体９４をさらに押し込むことにより、プッシュボタン式ボックス開放構造９０のロック手段を操作する。
ボタン本体９４をロック解除位置Ｐ５まで、規定量Ｄ１＋操作量Ｄ２押し込むと、ロック手段のロック状態が解除され、ポケット８３が下部のピン（図示せず）を軸にして矢印ｈの如くスイング移動してポケット８３、すなわち収納ボックス８２が開放する。
【００６４】
次に、本発明に係るプッシュボタン式ボックス開放構造９０のプッシュボタン９１に衝撃物６５が当たった場合を図１１に基づいて説明する。
図１１は第２実施の形態のプッシュボタンに衝撃物が当たった例を説明する図である。
万が一、プッシュボタン９１のボタン本体９４に衝撃物６５が矢印ｊの如く当たった場合には、衝撃物６５を、ボタン収納部９６の周縁９６ａや周縁近傍の外面９６ｂで支える。
これにより、衝撃物６５がボタン収納部９６内に侵入する量を、ボタン収納部９６の周縁９６ａや周縁近傍の外面９６ｂで規制し、ボタン本体９４の侵入量をＤ４に抑える。
侵入量Ｄ４は、規定量Ｄ１より小さい。
【００６５】
ボタン本体９４の侵入量Ｄ４を、規定量Ｄ１より小さく抑えることで、衝撃物６５がボタン本体９４に当たった際に、ロック手段をロック状態に保つ。
これにより、ポケット８３を閉位置に静止させておくことができ、収納ボックス８２を閉じた状態に保つ。
【００６６】
なお、前記第１実施の形態では、ボックスとして、インストルメントパネル１０に設けた収納ボックス（グローブボックス）１２を例示したが、その他に灰皿やカップホルダーなどにも応用できる。
また、前記第１実施の形態では、収納ボックス１２の開放を防ぐための規定量Ｄ１を、第１レバー７１の先端部７１ａを押圧突片６７から一定間隔をおいて配置することで確保した例について説明したが、規定量Ｄ１を確保する構成はこれに限らない。
例えば、スライダー７３にロックバー５８を連結するための連結孔７６を長孔にするなどのその他の手段で規定量Ｄ１を確保することも可能である。
【産業上の利用可能性】
【００６７】
本発明のプッシュボタン式ボックス開放構造は、閉状態のボックスを、プッシュボタンを押し込むことにより開放するように構成したもので自動車への適用に好適である。
【図面の簡単な説明】
【００６８】
【図１】本発明に係るプッシュボタン式ボックス開放構造（第１実施の形態）を備えたインストルメントパネルを示す斜視図である。
【図２】図１の２−２線断面図である。
【図３】図１の３−３線断面図である。
【図４】本発明に係るプッシュボタン式ボックス開放構造（第１実施の形態）を示す斜視図である。
【図５】本発明に係るプッシュボタン式ボックス開放構造（第１実施の形態）を示す平面図である。
【図６】第１実施の形態のプッシュボタンを規定量だけ押し込んだ例を説明する図である。
【図７】第１実施の形態のプッシュボタンを操作量まで押し込んだ例を説明する図である。
【図８】第１実施の形態のプッシュボタンに衝撃物が当たった例を説明する図である。
【図９】本発明に係るプッシュボタン式ボックス開放構造（第２実施の形態）を備えたインストルメントパネルを示す断面図である。
【図１０】第２実施の形態のプッシュボタンを操作量まで押し込んでポケットを開放した例を説明する図である。
【図１１】第２実施の形態のプッシュボタンに衝撃物が当たった例を説明する図である。
【符号の説明】
【００６９】
１２，８２…収納ボックス（ボックス）、２０，９０…プッシュボタン式ボックス開放構造、２１，９１…プッシュボタン、２１ｂ，９１ａ…プッシュボタンの表面、３６，９６…ボタン収納部、３６ａ，９６ａ…周縁、６５…衝撃物、８３…ポケット、９４…ボタン本体、Ｄ１…規定量、Ｐ１…閉位置、Ｐ２…開位置、Ｐ３…押込み開始位置、Ｐ４…ロック解除開始位置、Ｐ５…ロック解除位置。
【図１】
2006022482.tif 000003
【図２】
2006022482.tif 000004
【図３】
2006022482.tif 000005
【図４】
2006022482.tif 000006
【図５】
2006022482.tif 000007
【図６】
2006022482.tif 000008
【図７】
2006022482.tif 000009
【図８】
2006022482.tif 000010
【図９】
2006022482.tif 000011
【図１０】
2006022482.tif 000012
【図１１】
2006022482.tif 000013